(57)【要約】【課題】商品配達の受注後、得意先からの注文後、すぐに商品の配達が可能な商品情報管理システムを提供する。【解決手段】商品情報管理端末は、出庫する商品情報を受注データとして記憶可能であって、前記出庫する商品情報の出庫データを生成する出庫データ生成手段と、前記出庫データ生成手段により前記出庫データを生成する際に前記出庫すべき商品情報を受注したことを示す受注データが前記商品情報管理端末の記憶部に記憶されているか否かを判定する判定手段と、前記判定手段により前記受注データが記憶されていないと判断された場合に、前記出庫データ生成手段で前記出庫データを生成する際に用いられる前記出庫する商品情報から前記受注データを生成する受注データ生成手段とを備えることを特徴とする。【選択図】図４
2012020828.tif 000002
【特許請求の範囲】
【請求項１】
出庫する商品情報を受注データとして記憶可能な商品情報管理端末において、
前記出庫する商品情報の出庫データを生成する出庫データ生成手段と、
前記出庫データ生成手段により前記出庫データを生成する際に前記出庫すべき商品情報を受注したことを示す受注データが前記商品情報管理端末の記憶部に記憶されているか否かを判定する判定手段と、
前記判定手段により前記受注データが記憶されていないと判断された場合に、前記出庫データ生成手段で前記出庫データを生成する際に用いられる前記出庫する商品情報から前記受注データを生成する受注データ生成手段と
を備えることを特徴とする商品情報管理端末。
【請求項２】
出庫する商品情報を受注データとして記憶可能な商品情報管理端末の制御方法であって、
前記商品情報管理端末の出庫データ生成手段が、前記出庫する商品情報の出庫データを生成する出庫データ生成ステップと、
前記商品情報管理端末の判定手段が、前記出庫データ生成ステップにより前記出庫データを生成する際に前記出庫すべき商品情報を受注したことを示す受注データが前記商品情報管理端末の記憶部に記憶されているか否かを判定する判定ステップと、
前記商品情報管理端末の受注データ生成手段が、前記判定ステップにより前記受注データが記憶されていないと判断された場合に、前記出庫データ生成ステップで前記出庫データを生成する際に用いられる前記出庫する商品情報から前記受注データを生成する受注データ生成ステップと
を含むことを特徴とする制御方法。
【請求項３】
出庫する商品情報を受注データとして記憶可能な商品情報管理端末をコンピュータで読み取り実行可能なプログラムであって、
前記商品情報管理端末を、
前記出庫する商品情報の出庫データを生成する出庫データ生成手段と、
前記出庫データ生成手段により前記出庫データを生成する際に前記出庫すべき商品情報を受注したことを示す受注データが前記商品情報管理端末の記憶部に記憶されているか否かを判定する判定手段と、
前記判定手段により前記受注データが記憶されていないと判断された場合に、前記出庫データ生成手段で前記出庫データを生成する際に用いられる前記出庫する商品情報から前記受注データを生成する受注データ生成手段
として機能させるプログラム。
【発明の詳細な説明】
【技術分野】
【０００１】
本発明は、ハンディターミナルに代表される携帯用情報処理端末を用いた商品情報管理システムに関する。
【背景技術】
【０００２】
現在、日常の様々な場面において、携帯用の情報処理端末（以下、ハンディターミナル）を用いてサービスが提供されている。ハンディターミナルには各業務用のアプリケーションプログラムが搭載されており、ハンディターミナルのユーザは、搭載されている夫々のアプリケーションを用いて、データの入力、保存、更には、保存されているデータから帳票を生成して出力することが可能となっている。
【０００３】
食材卸業でこのハンディターミナルを使用するユーザの１日の業務は、例えば、営業所にて商品情報を上位端末（ＰＣなど）からハンディターミナルに受信し、得意先から電話・ＦＡＸなどで注文を受け、その内容を携帯端末に『受注情報』として注文を入力し、倉庫へ移動後、商品をピッキングすると同時に、ハンディターミナルに『出庫情報』として入力し、ピッキングした商品を得意先へ配達後、営業所に戻り、当日の受注・出庫情報を上位端末へ送信する、という流れになっている。
【０００４】
受注処理にて生成される受注データと紐付けて、出庫処理を行う必要があるため、受注処理を先に行っていないとその後の処理が行えず、得意先から注文があっても、すぐに商品を届けることができない。
【先行技術文献】
【特許文献】
【０００５】
【特許文献１】特開２０１０−３９８５６号公報
【発明の概要】
【発明が解決しようとする課題】
【０００６】
上記特許文献１に開示されている技術によれば、在庫を持っていない場合であっても、既に受注処理して出庫した他の発注者所有の販売済在庫商品を発注者の受注商品として活用できる受注方法が開示されている。また、発注情報から受注情報を生成することは可能であるが、出庫情報・売上情報への紐付けがなされておらず、食材情報管理の効率アップまでは考慮されていない。
【０００７】
そもそも、出庫情報とは、得意先から受けたオーダーを、一度情報処理装置において受注情報としてステータスを更新したあと、『受注』というステータスを以て初めて更新できるものであるが、業務の運用上、得意先からのメールや電話でオーダーを受けると、受注情報に更新しないまま、先に出庫準備を行うことが大抵である。これは、得意先からのオーダー後、商品配送に時間がかかると、クレームの原因になり、次の商品販売機会を失ってしまうためである。受注情報の更新に手間をかけずして配送までの時間を短縮する方法が求められている。
【０００８】
本発明は上記の課題を解決するためになされたものであり、得意先からの注文受注後、すぐに商品の配送が可能な商品出庫システムを提供することを目的とする。
【課題を解決するための手段】
【０００９】
即ち、本発明の目的は、出庫する商品情報を受注データとして記憶可能な商品情報管理端末において、前記出庫する商品情報の出庫データを生成する出庫データ生成手段と、前記出庫データ生成手段により前記出庫データを生成する際に前記出庫すべき商品情報を受注したことを示す受注データが前記商品情報管理端末の記憶部に記憶されているか否かを判定する判定手段と、前記判定手段により前記受注データが記憶されていないと判断された場合に、前記出庫データ生成手段で前記出庫データを生成する際に用いられる前記出庫する商品情報から前記受注データを生成する受注データ生成手段とを備えることを特徴とする。
【発明の効果】
【００１０】
本発明によれば、得意先からの注文受注後、すぐに商品の配送が可能な商品出庫システムを提供することが可能になる。具体的には、それまで行っていた受注処理を行う必要が無くなり、出庫情報を生成しながら、同時に受注情報を生成できるため、作業時間の大幅短縮が見込める。また、得意先への商品配達のスピードアップも可能になるので、より多くの得意先の注文を獲得できる効果が期待される。
【図面の簡単な説明】
【００１１】
【図１】本発明の実施の形態に係る情報処理システムのシステム構成図である。
【図２】図１における携帯端末のハードウェア構成を概略的に示すブロック図である。
【図３】図１における携帯端末のモジュール構成図である。
【図４】図１における携帯端末が実行する食材情報管理システムを示すフローチャートである。
【図５】図１における携帯端末が実行する食材情報管理業務の画面である。
【図６】図１における携帯端末が実行する食材情報管理業務のテーブルである。
【発明を実施するための形態】
【００１２】
以下、図面を参照して、本発明の実施形態を詳細に説明する。まず、図１を用いて、本発明のシステム構成について説明する。
【００１３】
本実施形態に係るシステムは、ハンディターミナル１０１と、端末１０２とが、ＬＡＮ等のネットワーク１０３を介して相互に通信可能に接続された構成となっている。端末１０２は、コンピュータ等の携帯端末で構成される。
【００１４】
ハンディターミナル１０１は、ユーザの食材情報管理業務等に用いられる。端末１０２より、商品情報を受信し、ユーザによる処理の選択受付、受注入力、出庫入力、端末１０２へのデータ送信を可能とする。本発明において、ハンディターミナル１０１は、それぞれ複数台あっても構わない。
【００１５】
次に、図２を用いて本発明のハンディターミナル１０１のハードウエア構成について説明する。図２は、本発明の実施形態における各種端末のハードウェア構成を示す図である。
ＣＰＵ２０１は、システムバス２０４に接続される各デバイスやコントローラを統括的に制御する。
【００１６】
また、ＲＯＭ２０２あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な後述する各種プログラム等が記憶されている。ＲＡＭ２０３は、ＣＰＵ２０１の主メモリ、ワークエリア等として機能する。
【００１７】
ＣＰＵ２０１は、処理の実行に際して必要なプログラム等をＲＡＭ２０３にロードして、プログラムを実行することで各種動作を実現するものである。
【００１８】
また、入力コントローラ（入力Ｃ）２０５は、キーボード２０９や不図示のマウス等のポインティングデバイスからの入力を制御する。
【００１９】
ビデオコントローラ（ＶＣ）２０６は、ＣＲＴディスプレイ（ＣＲＴ）２１０等の表示器にへの表示を制御する。表示器はＣＲＴだけでなく、液晶ディスプレイでも構わない。これらは必要に応じて管理者が使用するものである。本発明には直接関係があるものではない。
【００２０】
メモリコントローラ（ＭＣ）２０７は、ブートプログラム、ブラウザソフトウエア、各種のアプリケーション、フォントデータ、ユーザファイル、編集ファイル、各種データ等を記憶するハードディスク（ＨＤ）やフロッピーディスク（登録商標  ＦＤ）或いはＰＣＭＣＩＡカードスロットにアダプタを介して接続されるコンパクトフラッシュメモリ等の外部メモリ２１１へのアクセスを制御する。
【００２１】
通信Ｉ／Ｆコントローラ（通信Ｉ／ＦＣ）２０８は、ネットワークを介して、外部機器と接続・通信するものであり、ネットワークでの通信制御処理を実行する。例えば、ＴＣＰ／ＩＰを用いたインターネット通信等が可能である。
【００２２】
なお、ＣＰＵ２０１は、例えばＲＡＭ２０３内の表示情報用領域へアウトラインフォントの展開（ラスタライズ）処理を実行することにより、ＣＲＴ２１０上での表示を可能としている。また、ＣＰＵ２０１は、ＣＲＴ２１０上の不図示のマウスカーソル等でのユーザ指示を可能とする。
【００２３】
本発明を実現するためのプログラム２１２は外部メモリ２１１に記録されており、必要に応じてＲＡＭ２０２にロードされることによりＣＰＵ２０１によって実行されるものである。さらに、本発明に係わるプログラム２１２が用いる定義ファイル２１３及び各種情報テーブル２１４は外部メモリ２１１に格納されており、これらについての詳細な説明は後述する。
【００２４】
次に、図３を用いて、本発明のハンディターミナル１０１のモジュール構成について説明する。図３は、ハンディターミナル１０１におけるモジュール構成の一例を示す図である。
【００２５】
本発明のハンディターミナル１０１は、データ送受信部３０１と、受注データ生成部３０２と、出庫データ生成部３０３から構成されている。３０１のデータ送受信部は、上端末１０２とのデータの送受信を実行する。
【００２６】
３０２の受注データ生成部では、ユーザが、ユーザの顧客より受け付けた受注内容の「受注明細」を生成する。
【００２７】
３０３の出庫データ生成部では、ユーザの顧客より受け付けた受注内容に基づいて実行する「出庫明細」を生成する。
３０４のデータ判定部では、出庫データを生成する際に、その出庫する商品情報の受注データが外部メモリ２１１に記憶格納されているか否かを判定する。
【００２８】
次に、図４のフローチャートを用いて、本発明のハンディターミナル１０１で入力する商品情報管理業務（受注処理／出庫処理）について説明する。なお、本発明の実施形態に記載のハンディターミナル１０１は、食肉業者で用いられることを例として説明を進めていくものとする。図４は、本実施形態を示すシステムにおける食材情報管理業務を示すフローチャート図である。
【００２９】
ステップＳ４０１において、ハンディターミナル１０１のＣＰＵ２０１は、メインメニュー画面（図５の５０１）を表示して処理選択の受付監視状態にて待機し、ユーザによって選択された処理内容を受け付ける。
【００３０】
ユーザにより、ステップＳ４０１で図５の５０１から「受注」が選択されると、ステップＳ４０２において、ハンディターミル１０１のＣＰＵ２０１は、受注メニュー画面（図５の５０２）を表示して、受注業務選択の受付監視状態にて待機し、ユーザによって選択された処理内容を受け付ける。
【００３１】
ユーザにより、ステップＳ４０２で図５の５０２から「入力」が選択されると、ステップＳ４０３において、ハンディターミナル１０１のＣＰＵ２０１は、得意先選択画面（図５の５０３）を表示して得意先選択の受付監視状態にて待機し、ユーザによって選択された処理内容を受け付ける。
【００３２】
ユーザにより、Ｓ４０３で図５の５０３から該当の「得意先」が選択されると、ステップＳ４０４において、ハンディターミナル１０１のＣＰＵ２０１は、種別選択画面（図５の５０４）を表示して受注した商品選択の受付監視状態にて待機し、ユーザによって選択された処理内容を受け付ける。
【００３３】
ユーザにより、Ｓ４０４で図５の５０４から該当の「種別（畜種）」が選択されると、ステップＳ４０５において、ハンディターミナル１０１のＣＰＵ２０１は、商品一覧画面（図５の５０５）を表示して商品選択の受付監視状態にて待機し、ユーザによって選択された処理内容を受け付ける。
【００３４】
ユーザにより、Ｓ４０５で図５の５０５から商品が選択されると、ステップＳ４０６において、ハンディターミナル１０１のＣＰＵ２０１は、受注明細画面（図５の５０６）を表示して受注ケース数・納品単価・仕切単価の入力監視状態にて待機し、ユーザによる入力を受け付ける。
【００３５】
ユーザにより、ステップＳ４０７で図５の５０６にて受注ケース数・納品単価・仕切単価が入力されると、ステップＳ４０８において、ハンディターミナル１０１のＣＰＵ２０１は、受注データ（図６の６０１）を生成し、次の商品入力の受付監視状態にて待機する。以上、ステップＳ４０２〜Ｓ４０８までは、従来の受注データ生成方法である。
【００３６】
ユーザにより、ステップＳ４０１で図５の５０１から「出庫」が選択されると、ステップＳ４０９において、ハンディターミル１０１のＣＰＵ２０１は、出庫メニュー画面（図５の５０７）を表示して、出庫業務選択の受付監視状態にて待機し、ユーザによって選択された処理内容を受け付ける。
【００３７】
ユーザにより、ステップＳ４０９で図５の５０７から「得意先別出庫」が選択されると、ステップＳ４１０において、ハンディターミナル１０１のＣＰＵ２０１は、得意先選択画面（図５の５０８）を表示して得意先選択の受付監視状態にて待機し、ユーザによって選択された処理内容を受け付ける。
【００３８】
ユーザにより、ステップＳ４１０で図５の５０８から該当の「得意先」が選択されると、ステップＳ４１１において、ハンディターミナル１０１のＣＰＵ２０１は、畜種選択画面（図５の５０９）を表示して畜種選択の受付監視状態にて待機し、ユーザによって選択された処理内容を受け付ける。
【００３９】
ユーザにより、ステップＳ４１１で図５の５０９から該当の「畜種」が選択されると、ステップＳ４１２において、ハンディターミナル１０１のＣＰＵ２０１は、商品一覧画面（図５の５１０）を表示して商品選択の受付監視状態にて待機し、ユーザによって選択された処理内容を受け付ける。
【００４０】
ユーザにより、ステップＳ４１２で図５の５１０から商品が選択されると、ステップＳ４１３において、ハンディターミナル１０１のＣＰＵ２０１は、重量入力画面（図５の５１１）を表示して、ピッキングした出庫ケース数分の重量入力監視状態にて待機し、ユーザによる入力を受け付ける。
【００４１】
ユーザにより、ステップステップＳ４１４で図５の５１１にて出庫ケース数分の重量が入力されると、ステップＳ４１５において、ハンディターミナル１０１のＣＰＵ２０１は、出庫データ（図６の６０２）を生成し、次の商品入力の受付監視状態にて待機する。
【００４２】
次に、本発明で実現する「出庫受注」の方法をステップＳ４０９で説明する。ユーザにより、ステップＳ４０９で図５の５０７から「出庫受注」が選択されると、ステップＳ４１６において、ハンディターミナル１０１のＣＰＵ２０１は、得意先選択画面（図５の５１２）を表示して得意先選択の受付監視状態にて待機し、ユーザによって選択された処理内容を受け付ける。
【００４３】
ユーザにより、ステップＳ４１６で図５の５１２から該当の「得意先」が選択されると、ステップＳ４１７において、ハンディターミナル１０１のＣＰＵ２０１は、畜種選択画面（図５の５１３）を表示して畜種選択の受付監視状態にて待機し、ユーザによって選択された処理内容を受け付ける。
【００４４】
ユーザにより、ステップＳ４１７で図５の５１３から該当の「畜種」が選択されると、ステップＳ４１８において、ハンディターミナル１０１のＣＰＵ２０１は、商品一覧画面（図５の５１４）を表示して商品選択の受付監視状態にて待機し、ユーザによって選択された処理内容を受け付ける。
【００４５】
ユーザにより、ステップＳ４１８で図５の５１４から商品が選択されると、ステップＳ４１９において、ハンディターミナル１０１のＣＰＵ２０１は、重量入力画面（図５の５１５）を表示して、ピッキングした出庫ケース数分の重量入力、及び、納品単価・仕切単価の入力監視状態にて待機し、ユーザによる入力を受け付ける。
【００４６】
ユーザにより、ステップＳ４２０で「単価」ボタンが押下されると、ステップＳ４２１において、ハンディターミナル１０１のＣＰＵ２０１は、単価入力画面（図５の５１６）を表示し、ステップＳ４２２でピッキングした出庫商品の納品単価・仕切単価が入力されると、ハンディターミナル１０１のＣＰＵ２０１は、入力値を保持し、重量入力画面（図５の５１５）に戻る。
【００４７】
ユーザにより、ステップＳ４２３で図５の５１５にて出庫ケース数分の重量が入力されると、ステップＳ４２４において、ハンディターミナル１０１のＣＰＵ２０１は、出庫データ（図６の６０２）を生成すると同時に受注データ（図６の６０１）を生成し、次の商品入力の受付監視状態にて待機する。
【００４８】
ステップＳ４１６〜ステップＳ４２３までの処理によれば、得意先からの注文を受け付けた後、即座に出庫情報を生成すると同時に、受注情報も生成することができ、大幅な業務の効率化が期待される。
【００４９】
次に、図６を用いて本発明の出庫受注処理により生成される受注データならびに出庫データの構成について説明する。
【００５０】
図６の６０１は、本実施形態を示すシステムにおいて、ハンディターミナル１０１のステップＳ４０８、もしくは、ステップＳ４２４で生成され、外部メモリ２１１に記憶される受注データの一例を示すデータ構成図である。
【００５１】
図６の６０１に示すように、受注データは、受注ＰＣＤ・得意先ＣＤ・品名ＣＤ・畜種ＣＤ・処理年月日・ケース数・個数・重量・仕切単価・納品単価・登録日時の項目を持って構成される。受注ＰＣＤ毎に、受注情報が設定されている。
【００５２】
図６の６０２は、本実施形態を示すシステムにおいて、ハンディターミナル１０１のステップＳ４１５、もしくは、ステップＳ４２４で生成され、外部メモリ２１１に記憶される出庫データの一例を示すデータ構成図である。
【００５３】
図６の６０２に示すように、出庫データは、出庫ＰＣＤ・得意先ＣＤ・品名ＣＤ・畜種ＣＤ・処理年月日・ケース数・個数・重量・登録日時の項目を持って構成される。出庫ＰＣＤ毎に、出庫情報が設定されている。
＜第二の実施形態＞
【００５４】
ユーザにより、ステップＳ４０１で図５の５０１から「出庫」が選択されると、ステップＳ４５１において、ハンディターミナル１０１のＣＰＵ２０１は、出庫する受注データの選択するための受注データ選択画面（図５の５１７）が表示されて、受注データ（得意先）選択の受付監視状態にて待機し、ユーザによって選択された処理内容を受け付ける。
【００５５】
ユーザにより、ステップＳ４５２で図５の５１７の受注データ選択画面から該当の受注データの選択を受け付けると、ステップＳ４５３において、ハンディターミナル１０１のＣＰＵ２０１は、ユーザにより選択された受注データが外部メモリ２１１に記憶されているか否かを判定する。判定の結果、記憶されていれば、外部メモリ２１１に記憶された受注データから、当該選択された受注データを読み込んで、出庫処理を開始する。
【００５６】
その後の出庫処理は、先述のステップＳ４１１からステップＳ４１５での処理と同様であるため、詳細な説明は省略する。
【００５７】
また、ユーザにより、ステップＳ４５２で図５の５１７の受注データ選択画面から該当の受注データの選択を受け付けなかった場合（つまり、受注データを基に出庫を行わない場合）、ステップＳ４５３において、ハンディターミナル１０１のＣＰＵ２０１は、ユーザにより選択された受注データが外部メモリ２１１に記憶されているか否かを判定する。判定の結果、受注データが選択されていない（つまり、記憶している受注データを用いていない）ため、ステップＳ４５４で、ハンディターミナル１０１のＣＰＵ２０１は、出庫データと、受注データを同時に生成する出庫受注の処理に遷移する。
【００５８】
その後の出庫処理は、先述のステップＳ４１６からステップＳ４２３での処理と同様であるため、詳細な説明は省略する。
【００５９】
第二の実施形態によれば、受注データがあるものに関しては、その情報から、出庫データを即時に生成することができ、受注データを基にして出庫データを生成しない場合には、出庫データを生成する処理と同時に、受注データを生成することが可能になる。
【００６０】
以上、本発明によれば、得意先からの注文受注後、すぐに商品の配送が可能な商品出庫システムを提供することが可能になる。具体的には、それまで行っていた受注処理を行う必要が無くなり、出庫情報を生成しながら、同時に受注情報を生成できるため、作業時間の大幅短縮が見込める。また、得意先への商品配達のスピードアップも可能になるので、より多くの得意先の注文を獲得できる効果が期待される。
【００６１】
なお、上述した各種データの構成及びその内容はこれに限定されるものではなく、用途や目的に応じて、様々な構成や内容で構成されることは言うまでもない。
【００６２】
以上、一実施形態について示したが、本発明は、例えば、システム、装置、方法、プログラムもしくは記録媒体等としての実施態様をとることが可能であり、具体的には、複数の機器から構成されるシステムに適用しても良いし、また、一つの機器からなる装置に適用しても良い。
【００６３】
また、本発明におけるプログラムは、図４の処理方法をコンピュータが実行可能なプログラムであり、本発明の記憶媒体は図４の処理方法をコンピュータが実行可能なプログラムが記憶されている。なお、本発明におけるプログラムは図４の各装置の処理方法ごとのプログラムであってもよい。
【００６４】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読出し実行することによっても、本発明の目的が達成されることは言うまでもない。
【００６５】
この場合、記録媒体から読み出されたプログラム自体が本発明の新規な機能を実現することになり、そのプログラムを記憶した記録媒体は本発明を構成することになる。
【００６６】
プログラムを供給するための記録媒体としては、例えば、フレキシブルディスク，ハードディスク，光ディスク，光磁気ディスク，ＣＤ−ＲＯＭ，ＣＤ−Ｒ，ＤＶＤ−ＲＯＭ，磁気テープ，不揮発性のメモリカード，ＲＯＭ，ＥＥＰＲＯＭ，シリコンディスク等を用いることができる。
【００６７】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００６８】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【００６９】
また、本発明は、複数の機器から構成されるシステムに適用しても、１つの機器からなる装置に適用してもよい。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【００７０】
さらに、本発明を達成するためのプログラムをネットワーク上のサーバ，データベース等から通信プログラムによりダウンロードして読み出すことによって、そのシステムあるいは装置が、本発明の効果を享受することが可能となる。
【符号の説明】
【００７１】
１０１  ハンディターミナル
１０２  端末
１０３  ネットワーク
２０１  ＣＰＵ
２０２  ＲＯＭ
２０３  ＲＡＭ
２０４  システムバス
２０５  入力コントローラ
２０６  ビデオコントローラ
２０７  メモリコントローラ
２０８  通信Ｉ／Ｆコントローラ
２０９  ＫＢ（またはマウス）
２１０  ディスプレイ
２１１  外部メモリ（ＨＤ、ＦＣ）
６０１  受注データ
６０２  出庫データ
【図１】
2012020828.tif 000003
【図２】
2012020828.tif 000004
【図３】
2012020828.tif 000005
【図４】
2012020828.tif 000006
【図５】
2012020828.tif 000007
【図６】
2012020828.tif 000008